(57)【要約】      （修正有）【課題】嵩張らず安価に製造でき、特にフロスを中心に厚紙を折り重ねて弓状に形成する際にフロスの締まりが向上し、弓状が変形しない構成とする。【解決手段】フロスｆを張る穴ｈ２の開いた２枚の厚紙の間にフロス用の糸を挟んだ状態で接着して、前記フロスｆを中心に二つ折りして重ね、弓状に形成し使用する構造の簡易歯間清掃具であるので、薄板状で嵩張らず、小型で携帯に適している。しかも紙製で変形しないので、フロスｆによる摺動操作が損なわれることはない。また、前記フロス外端を焼き切って溶融させ、フロスｆの外端を球状に形成してあるので、この球状部Ｂがストッパーとなり、無理な力が加わっても抜けることはない。【選択図】図１
2018143644.tif 000002
【特許請求の範囲】
【請求項１】
フロスを張る穴の開いた２枚の厚紙の間にフロス用の糸を挟んだ状態で接着してあり、前記フロスを中心に二つ折りし重ねて使用することを特徴とする簡易歯間清掃具。
【請求項２】
前記フロスを加熱して焼き切り、フロスの外端を球状に形成してあることを特徴とする請求項１記載の簡易歯間清掃具。
【請求項３】
フロスを張る穴の開いた２枚の紙の間にフロス用の糸を挟んだ状態で接着してある簡易歯間清掃具を、前記フロスを中心に二つ折りして弓状に形成した際に、前記二つ折り部において、前記２枚の厚紙間又は各紙の空隙部が圧縮されて縮小して前記フロスを抜け難くし、テンションが緩まないことを特徴とする簡易歯間清掃具の使用方法。
【請求項４】
フロスを張る穴の開いた２枚の厚紙の間に、前記穴の直径方向にフロス用の糸を挟んだ状態で接着して、３者を一体化することを特徴とする簡易歯間清掃具の製造方法。
【発明の詳細な説明】
【技術分野】
【０００１】
本発明は、フロスを張った円穴の開いた厚紙を二重に折り畳んで弓状に形成して口腔の中に挿入し、弓の弦に対応するフロスに張力を付けて、歯間又歯間面を清掃する歯間清掃具に関する。
【背景技術】
【０００２】
特許文献１のように合成樹脂によってアーチ状あるいはＵ字状、半円状などの弓幹部を形成し、その両端間にデンタルフロス（以下「フロス」と略す）を張ると共に、弓幹部の一端に取っ手を一体形成した歯間清掃具は一般に知られている。しかしながら、これらの歯間清掃具は合成樹脂製のため、新品の間は弾性に富み、特に隙間が殆ど無い歯間を通過する場合に限界まで達した張力が一気に解放されて、弾力で歯茎を傷つけることがあった。逆に、歯間清掃後にフロス部分を抜き取る場合も、同様に瞬時に抜けるため、対向する歯に指や硬い本体部分が当たって痛い思いをすることがあった。そういう致命的欠陥から、特に口腔ケアが必要な子供達には危険であり、あまり普及しなかった。
また、使用している間に弓幹部が永久変形したり、隣接する歯間の隙間が殆ど無く蜜接していてフロスが歯間を通過するのに時間を要する場合に、前記弓幹部が永久変形してフロスのテンションが損なわれ、歯の摺動を円滑に行なえない。あるいは、フロスが弛んだり、フロスと弓幹部との固定が緩んだりして、フロスによる摺動が損なわれるという欠点も有る。
これに対し、本発明品は、紙製で弾性は無く、力加減が調整しやすいので、歯茎を傷つけることが少なく、初めて使う人やお子様でも安心して使用できる。
さらに、歯間清掃具を常時携帯して、食後に常に歯の清掃をしないと気の済まない人も多いが、従来の歯間清掃具では、サイズが大きすぎて嵩張るため、携帯には適しない。
【先行技術文献】
【特許文献】
【０００３】
【特許文献１】特開平９−271481号
【特許文献２】特開2002−143189号
【発明の概要】
【発明が解決しようとする課題】
【０００４】
そこで、本願発明の発明者は特許文献２のように、合成樹脂製でなく厚紙で製造することで嵩張らず携帯に適し、かつ安価に製造でき、特に弓幹部がフロスに引っ張られて変形することがなく、常に歯に押し当てる際の十分なテンションでフロスが歯面を効果的に摺動清掃できる紙製を提案した。
しかしながら、特許文献２の構造では、フロスのテンションを制御する操作が困難で、使用中にテンションが緩んだりして、円滑に歯面を磨けない。
本発明の技術的課題は、このような問題に着目し、厚紙製の本体を二つ折りして重ねて弓状に形成する際に、フロスの締まりが良くなり、緩んだりすること無く確実に使用可能となる構造とその使用方法並びに製法を提案する。
本発明の技術的課題は、このような問題に着目し、厚紙製とすることで薄く嵩張らず小型で携帯に適し、しかも安価に製造でき、特にフロスを中心に厚紙を折り重ねて弓状に形成する際にフロスの締まりが向上し、弓状が変形しない簡易歯間清掃具を実現する。
【課題を解決するための手段】
【０００５】
本発明の技術的課題は次のような手段によって解決される。請求項１は、フロスを張る穴の開いた２枚の紙の間にフロス用の糸を挟んだ状態で接着してあり、前記フロスを中心に二つ折りし重ねて使用することを特徴とする簡易歯間清掃具である。
【０００６】
請求項２は、前記フロスを加熱して焼き切り、フロスの外端を球状に形成してあることを特徴とする請求項１記載の簡易歯間清掃具である。
【０００７】
請求項３は、フロスを張る穴の開いた２枚の紙の間にフロス用の糸を挟んだ状態で接着してある簡易歯間清掃具を、前記フロスを中心に二つ折りして重ねた際に、前記二つ折り部において、前記２枚の紙間又は各紙の空隙が圧縮されて縮小され、前記フロスの締まりが増し、清掃操作時のテンションも強くなることを特徴とする簡易歯間清掃具の使用方法である。
【０００８】
請求項４は、フロスを張る穴の開いた２枚の紙の間に、前記穴の直径方向にフロス用の糸を挟んだ状態で接着して、３者を一体化することを特徴とする簡易歯間清掃具の製造方法である。
【発明の効果】
【０００９】
請求項１のように、フロスを張る穴の開いた２枚の厚紙の間にフロス用の糸を挟んだ状態で接着して、前記フロスを中心に二つ折りして重ね、弓状に形成し使用する構造の簡易歯間清掃具であるので、薄板状で嵩張らず、小型で携帯に適している。しかも紙製で変形しないので、フロスによる摺動操作が損なわれることはない。
【００１０】
請求項２のように、前記フロス外端を焼き切って溶融させ、フロスの外端を球状に形成してあるので、この球状部がストッパーとなり、無理な力が加わっても抜けることはない。
【００１１】
請求項３のように、フロスを張る穴の開いた２枚の紙の間にフロス用の糸を挟んだ状態で接着してある簡易歯間清掃具を、前記フロスを中心にして二つ折りして重ねた際に、前記二つ折り部において、前記２枚の紙間又は各紙の空隙が圧縮されて締まりが向上して、フロスが抜け難くなり、テンション低下しない。従って、安心して使用できる。
【００１２】
請求項４のように、フロスを張る穴の開いた２枚の紙の間に、前記穴の直径方向にフロス用の糸を挟んだ状態で接着して、３者を一体化するので、使用に際して前記フロスを中心に二つ折りして重ねると、２枚の紙間や折り曲げ部の空隙が圧縮されて締まりが向上し、使用中のフロスの緩みが防げると共に、テンションも低下しない。
【図面の簡単な説明】
【００１３】
【図１】本発明による簡易歯間清掃具の基本構成をユニット単位に示す斜視図である。
【図２】本発明による簡易歯間清掃具のユニットの使用方法を示す斜視図である。
【図３】図３以下は、本発明の簡易歯間清掃具の製造方法を順次説明する図で、図３は下型の平面図である。
【図４】上型の平面図と底面図である。
【図５】ホルダー紙を成型後の平面図である。
【図６】フロス糸を張った状態の平面図である。
【図７】フロス糸上にホルダー上紙を重ねて接着した平面図である。
【図８】ミシン目ユニットの載せたミシン目カッッター位置の水平断面図である。
【図９】ミシン目ユニットの平面図と底面図である。
【図１０】フロスｆの先端を焼き切る前の平面図である。
【図１１】４個の簡易歯間清掃具のユニット成る組みの平面図である。
【発明を実施するための形態】
【００１４】
次に本発明による簡易歯間清掃具が実際上どのように具体化されるか実施形態を説明する。図１は本発明による簡易歯間清掃具の基本構成を示す斜視図であり、製造後の状態である。すなわち、図１のように、フロスｆを挟んでほぼ半円形の穴ｈ１・ｈ２の開いた２枚のホルダー厚紙Ｐ１・Ｐ２の間にフロス用の糸ｆを挟んだ状態で接着してあり、図２のように、前記フロスｆを中心にして二つ折りして重ねる。二つ折りして重ねて指で把持して使用するが、二つ折りして重ねて親指と人指し指・中指との間に挟んで把持される２枚の突出部Ｆ１・Ｆ２を取っ手とする。従って、取っ手Ｆ１・Ｆ２を指間に挟んで把持し、フロスｆを隣接する歯と歯の間に差し込んで往復摺動させ、歯間又歯間面を清掃する。
【００１５】
この場合、フロスｆには強い張力か発生し作用するが、２枚の厚紙Ｐ１・Ｐ２の間にフロスｆを挟んだ状態で接着するので、フロスｆを中心にして厚紙の部分を二つ折りして重ねる際に、前記二つ折り部において、前記２枚の厚紙間又は各厚紙の空隙部が圧縮されて縮小されるので、締まりが自然と良くなり、前記フロスｆが抜け難く、緩まない。従って、安心して使用でき、延びたり、緩んだりする恐れは無い。
フロスｆを他の簡易歯間清掃具のフロスｆと切り離す際に、加熱してフロスｆを焼き切る際に端部に球状Ｂが形成されるで、この球状部Ｂがストッパーとして作用し、前記の緩み防止はより確実となる。フロスｆを中心に取っ手Ｆ１・Ｆ２を折り重ねる前の拡げた状態では、広い面積となるので、印刷が可能となり、広告宣伝の印刷に適している。
【００１６】
また、小型で薄いので、嵩張ることはなく、携帯が容易であり、厚紙製のため、安価に製造できる。
特に、フロスｆの周囲は、フロスｆを挟んでほぼ半円形の穴ｈ１・ｈ２の開いた２枚のホルダー厚紙Ｐ１・Ｐ２の間にフロス用の糸Ｆを挟んだ状態で加圧接着してあるので、フロスｆで歯間や歯の面を磨いて清掃する際の邪魔になる恐れはない。この穴ｈ１・ｈ２は、半円状である必要はなく、他の形状でもよい。
【００１７】
図３以下は、本願発明の簡易歯間清掃具の構造方法を例示したもので、４個を一体に製造した後、使用時に１個単位にミシン目で切り離す。すなわち、図示例では、一体型の簡易歯間清掃具を４組同時に打ち抜き成型して製造する。先ず、図３のように、４個の半円形の穴ｈ１・ｈ２の開いた下型１、２の上に、ホルダー厚紙を載せた状態で、図４の上型３・４を載せる。図４（１）は上型３・４の平面図であり、その下面を見ると、図４（２）のように、上型３・４の下面にカッターＣ１…、Ｃ２…の刃先が露出している。カッターＣ１…、Ｃ２…の周囲は、僅かの隙間をおいて黒ゴムＧで挟んである。従って、上型３・４を下降させると、カッターＣ１…、Ｃ２が厚紙をカットして、２組のホルダー厚紙が残る。このホルダー厚紙は、２枚重ねで接着するので、２倍の枚数をカットしておく必要がある。
【００１８】
次に図５のように、２組の下紙を位置決めしておいて、その紙の上に図６のようにフロスｆ用の糸Ｆを張った状態で、図７のように上ホルダー紙を載せてから、上下の紙の間にフロス糸Ｆを挟んだ状態で接着する。
使用に際して、１個ずつ切り離すので、そのためのミシン目を予め設ける。図８のように、ミシン目ユニット５を載せて、押し下げると、十字状のミシン目カッター６、７が下降して、ミシン目を入れる。この時、ミシン目ユニット５と一体に、折り目枠８、９を備えているので、フロスｆの上をこの折り目枠８、９が下降して、押し潰すことで、二つ折りが容易になる。また、フロスｆと直交する方向のミシン目カッター６の刃先が丁度フロス糸Ｆを切断する位置Ｃに配設してあるので、フロス糸Ｆは各ユニット毎に切離される。
【００１９】
図９はミシン目ユニット５の全体で、（１）は平面図、（２）は下面を見た図であり、ミシン目状のカッター６、７を挟むように両側に隙間をおいて黒色のゴムＧを設けてあるので、その弾力に抗してカッター６、７が下降してミシン目を入れ、容易に分離可能にしてある。
最後に、図10のように、フロスｆを形成すべく、フロス糸Ｆの先端を焼き切って、図11のように、球Ｂを形成し、抜け止めとする。７、８は、各ユニット単位に切り離すためのミシン目である。
【産業上の利用可能性】
【００２０】
以上のように、ほぼ円形の穴の開いた２枚のホルダー厚紙の間にフロス用の糸を挟んだ状態で加圧接着してあり、前記フロスを中心にして二つ折りして使用する構造となっているので、薄板状で嵩張らず、小型で携帯に適している。また、紙製で構造が簡単なため、安価に製造できる。前記フロス外端は焼き切って球状に形成してあるので、抜け止めとなり、容易に抜けることはない。特に、前記フロスを中心にして二つ折りした際に、二つ折り部において、２枚の紙間又は各紙の空隙部が圧縮されて締まりが自然と良くなり、フロスが抜け難くなる。従って、合成樹脂製のようにテンションで変形し、テンションが低下して歯面の摺動を損なうことはない。
【００２１】
ｆ  フロス
Ｆ１・Ｆ２  取っ手
Ｐ１・Ｐ２  ２枚の紙
ｈ１・ｈ２  半円形の穴
１・２  下型
３・４  上型
Ｃ１…、Ｃ２…  カッター
Ｇ  黒ゴム
Ｆ  フロス用の糸
５  ミシン目ユニット
６・７  十字状のミシン目カッター
８、９  折り目枠
Ｂ  球
【図１】
2018143644.tif 000003
【図２】
2018143644.tif 000004
【図３】
2018143644.tif 000005
【図４】
2018143644.tif 000006
【図５】
2018143644.tif 000007
【図６】
2018143644.tif 000008
【図７】
2018143644.tif 000009
【図８】
2018143644.tif 000010
【図９】
2018143644.tif 000011
【図１０】
2018143644.tif 000012
【図１１】
2018143644.tif 000013